(57)【要約】【課題】本考案は、屋外スポーツ用ハイドレーションシステム（水分補給）におけるドリンキングチューブの冬季凍結防止用カバーの開発を行ない、冬季における屋外スポーツ愛好者及び屋外での作業者に、水分補給を容易にさせる。【解決手段】本考案は、携帯可能な外部からの電気等による熱エネルギーの補給に頼る事なしに、加温できるシステムを開発した。試作品に熱発生源として採用したのが、携帯用カイロである。このカイロは、鉄が空気中の酸素と反応し、酸化鉄になるとき発生する酸化熱を利用したものである。外径１０ｍｍのビニールチュ−ブに水を満たし、試作品の凍結防止カバーを巻きつけた。携帯用カイロの発熱を確認した上で、冷蔵庫の冷凍庫にいれ、１０時間経過後ビニールチュ−ブの水の凍結の有無をチェックした。結果、凍結は無かった。よって本考案の当初の目的は、達成した【選択図】図２
0003127904.tif 000002
【実用新案登録請求の範囲】
【請求項１】
ハイドレーション（水分補給）システムにおけるドリンキングチーブの冬季凍結防止カバー
構成は４層の円筒をなし、下記よりなる。
▲１▼  外皮は防水性と耐磨耗性を有し、厚みは０・５ｍｍ程度、外径２３ｍｍ程度、長さ約１，０００ｍｍで円周の一箇所が切り離されており、切断個所片方の表側にマジックテープノメス側が付けられている。切断個所多方は、円周方向に約１５ｍｍ程度伸ばされており、その内側にマジックテープのオス側が取り付けられていて、メス、オスを重ね合わせることにより円筒を形作る。
▲２▼  断熱層：外皮の内側にネオプレン又はウレタン等で、厚みは３ｍｍ程度  内径１０ｍｍ、外形１６ｍｍ、長さ１０００ｍｍ程度で円周の一箇所が切り離されている。
▲３▼  加温層：鉄の酸化熱を利用した携帯用カイロで、縦、横１００＊１００ｍｍ  厚さ３ｍｍ程度で、片面には、接着剤が塗布されており、断熱層のゴムの内筒側に容易に貼り付けることが出来る。断熱層の内筒側に貼り付ける事で円筒の一部を構成する。
▲４▼  加温層の内側に、凍結から護るべき飲料の通過するドリンキングチューブ外形１０ｍｍ
【考案の詳細な説明】
【技術分野】
【０００１】本考案は、ハイドレーション（水分補給）システムにおけるドリンキングチーブの冬季凍結防止カバーに関するものである。
【背景技術】
【０００２】屋外スポーツにおいて、水分の適切な補給が重要である。然し冬季においては、重装備のザック等から、水筒を取り出し、水を飲み再び重い荷を背負いあげる事は、非常な負担となっている。このために、登山等の歩行中歩きながら水分を補給する目的で、米国において開発された商品が、ハイドレーションシステムのドリンキングチューブである。問題点は、冬季長時間の屋外作業において、ドリンキングチューブは凍結する事である。ドリンキングチューブが凍結すると，ハイドレーション・システムは使い物にならず，登山者は傾斜のある雪道で，２０ｋｇ以上あるザックを肩から降ろし，手袋を脱ぎザックから水筒を取りだし，水分を補給する。その上でザックを閉じ再度足場の悪い雪道で，ザックを背負わなければならない。この事は、冬季における屋外スポーツ愛好家にとって，時間的にも，体力的にも大きな負担になっている。そのために上記のハイドレーションシステムを開発した米国のメーカーが開発した、ドリンキングチューブ・インシュレター（断熱性の高いネオプレーン製カバー）で、日本のおける輸入代理店のカタログには、“冬季など、気温の低い時期において、ドリンキングチューブ内の飲み物を凍りにくくする為の、ネオプレーン製のカバーです。”と記載されている。スポーツ用品の店員に上記カバーをつけた場合雪山で凍結するのか、否かと再度たずねたところ、同ドリンキングチューブ・インシュレーターを購入し、雪山に入った顧客の話しでは，同カバーを装着した状態で凍結したとの事だった。更に，スポーツ用品の店員の話しによれば，冬季の登山者，トレッカー，オリエンテーィング愛好家、スノーシューを楽しむ人達が、ドリンキングチューブの冬季凍結防止対策を待ち望んでいる。
【考案の開示】
【考案が解決しようとする課題】
【０００３】  屋外スポーツ用ハイドレーション（水分補給）システムにおけるドリンキングチーブの冬季凍結防止カバーの開発
【課題を解決するための手段】
【０００４】開発のポイントは、米国Ｃａｓｃａｄｅ  Ｄｅｓｉｇｎｓ  Ｉｎｃ．社の開発した遮温性の高い、ネオプレーン製筒状カバーでも、冬季の気温の低い時期長時間、屋外の外気にさらされるチューブ内の飲み物は凍結する。このため遮温では無く携帯可能で、外部から電気等による熱エネルギーの補給に依存する事なしに、加温できるシステムを検討した。検討の結果、試作品に採用したのが携帯用カイロである。このカイロは、鉄が空気中の酸素と反応し、酸化鉄になるとき発生する酸化熱を利用したものである。
【化】
0003127904.tif 000003
注意点は、上記化学反応には、水を必要とするので、いきなり氷点下の外気の中に出て行くと含まれている水分が凍結し、化学反応が起きない。この為、駅の待合室等で携帯カイロを発熱状態にして（外袋を破り、内袋を取り出す事で発熱状態になる）本考案の凍結防止カバーに取り付けてから、氷点下の外気の中に出て行くことが必要条件となる。商品化の場合の重要注意事項となる。
【考案の効果】
【０００５】試作品の開発。  試作品のために下記のものを使用した。
１）  水道管凍結防止用断熱カバー
２）  携帯用カイロ貼るタイプ
水道管用断熱カバーの内側に、“携帯用カイロ貼るタイプ”を貼り付けた。添付図面参照。外形１０ｍｍのドリンキングチューブ相当のビニールチューブに水を入れ、試作品の凍結防止カバーを巻きつけた。携帯用カイロの発熱を確認した上で、冷蔵庫の冷凍庫に入れ、１０時間経過後ビニールチューブ内の水の凍結の有無をチェックした。結果、凍結は無かった。この結果本考案は、当初の目的を達すると判断した。但し、冷凍庫内の温度を計測できなかったので、次の実用化、商品化の段階で実験設備の整った機関へ依頼し、データを集積、分析すべきである。
【考案の実施するための最良の形態】
【０００６】実用品開発にあたっての検討
１．携帯用カイロ貼るタイプにかんして
▲１▼  既存商品寸法Ｌ＝１３０ｍｍ，Ｗ＝９５ｍｍに対し、外形１０ｍｍのドリンキングチューブにＷ＝９５ｍｍを軸方向に、Ｌ＝１３０ｍｍを１０ｍｍのチューブを外側から巻いたところ、３０ｍｍほどの余りが出た。よって、１００Ｘ１００ｍｍの内袋寸法が望ましい。
▲２▼  携帯用カイロ内袋の内容物を入れた厚みを薄くしたい
厚さを２〜３ｍｍ程度することにより、外形１０ｍｍのチューブにむらなく均一に巻く事が出来る。
この事は、内容物の量を減らす事になるが、カイロの仕様を
最高温度  ６３度、  平均温度  ５３度、
持続時間  １２時間（４０度以上を保持し、持続する時間）と２時間短縮する事で実現できないか？
▲３▼  貼る接着剤についての検討
既存の商品の接着剤は、動く人間の衣服に付着しているようデザインされ強力である。この為断熱カバー内側のウレタン表面が剥がれ易く、約１ｍ凍結防止カバーの内側に１０ｃｍ毎に１０枚貼り、はがすのも努力を要する。よって接着剤塗布部分を内袋前面ではなく、上下の端から各２ｃｍ、中央部２ｃｍの計６ｃｍの塗り面積としたら良いと思う。
２．外筒の断熱チューブに関しての検討
▲１▼  断熱チューブの材質の検討
試作時には、市販の水道管凍結防止用断熱チューブを使用したが、商品化を前提とした試作品には、ネオプレン、ウレタンを比較検討し材質を決定すべきであろう。その材質選定にあたり、検討すべき項目を下記に列挙する。
▲２▼  形状及び寸法
内径１０ｍｍ、外形１６ｍｍ  厚さ３ｍｍ  全長１０７０ｍｍ
断熱層の厚みに関して、
これは全長約１ｍ強の内部にドリンキングチューブを含んだ本凍結防止カバー全体の、柔軟性を維持する必要があるからである。
▲３▼  更にウレタン層表面が、ホカロン内袋接着剤をはがす時、容易にはがれるように内筒表面が滑らかであることが必要である。
▲４▼  外皮は、耐水性、耐磨耗性、柔軟性を有すると共に、商品としての見栄えを良くする大事な部分であるので、材質、色彩の選定に考慮すべきである。
▲５▼  外皮は、内筒の断熱チューブに接着剤により接着されており、ラジアル方向の端には、マジックテープを取付け、テープを止めることにより全体が円周として開口部を閉じる事になる。
▲６▼  マジックテープは、外皮のアキシャル（軸）方向に対し、１５ｃｍ位の間隔を開けマジックテープ幅５ｃｍとし、チューブ全長に対し５ヶ所位止めるのが良いか、実験の上決定すべき事項となる。
【実施例】
【０００７】上記（０００６）で記述した内容と同文である。
【図面の簡単な説明】
【０００８】
【図１】Ｃａｓｃａｄｅ  Ｄｅｓｉｇｎｓ  Ｉｎｃ．社製  ドリンキングチューブ外形図
【図２】凍結防止カバー試作品図
【図３】凍結防止カバー構造断面図
【図４】断熱層図
【図５】加温層図
【図６】外皮図
【符号の説明】
【０００９】なし
【図１】
0003127904.tif 000004
【図２】
0003127904.tif 000005
【図３】
0003127904.tif 000006
【図４】
0003127904.tif 000007
【図５】
0003127904.tif 000008
【図６】
0003127904.tif 000009
【手続補正書】
【提出日】平成18年7月7日(2006.7.7)
【手続補正１】
【補正対象書類名】実用新案登録請求の範囲
【補正対象項目名】全文
【補正方法】変更
【補正の内容】
【実用新案登録請求の範囲】
【請求項１】
（イ）外皮は防水性と耐磨耗性を有し、厚みは０・５ｍｍ程度、外径２３ｍｍ程度、長さ約１，０００ｍｍで円周の一箇所が切り離されており、切断個所片方の表側に面ファスナーのメス側が付けられおり、切断個所他方は、円周方向に約１５ｍｍ程度伸ばされており、その内側に面ファスナーのオス側が取り付けられていて、メス、オスを重ね合わせることにより円筒を形作る。
（ロ）断熱層：外皮の内側にネオプレン又はウレタン等で、厚みは３ｍｍ程度  内径１０ｍｍ、外形１６ｍｍ、長さ１０００ｍｍ程度で円周の一箇所が切り離されている。
（ハ）加温層：鉄の酸化熱を利用した携帯用カイロで、縦、横１００＊１００ｍｍ  厚さ３ｍｍ程度で、片面には、接着剤が塗布されており、断熱層のゴムの内筒側に容易に貼り付けることが出来る。断熱層の内筒側に貼り付ける事で円筒の一部を構成する。
（ニ）加温層の内側に、凍結から護るべき飲料の通過するドリンキングチューブ外形１０ｍｍが備えてある。
以上の構成からなるハイドレーションシステムにおけるドリンキングチーブの冬季凍結防止カバー。
【手続補正２】
【補正対象書類名】明細書
【補正対象項目名】０００３
【補正方法】変更
【補正の内容】
【０００３】  屋外スポーツ用ハイドレーション（水分補給）システムにおけるドリンキングチューブの冬季凍結防止カバーの開発
【手続補正３】
【補正対象書類名】明細書
【補正対象項目名】０００６
【補正方法】変更
【補正の内容】
【０００６】実用品開発にあたっての検討
１．携帯用カイロ貼るタイプにかんして  ▲１▼  既存商品寸法Ｌ＝１３０ｍｍ，Ｗ＝９５ｍｍに対し、外形１０ｍｍのドリンキングチューブにＷ＝９５ｍｍを軸方向に、Ｌ＝１３０ｍｍを１０ｍｍのチューブを外側から巻いたところ、３０ｍｍほどの余りが出た。よって、１００Ｘ１００ｍｍの内袋寸法が望ましい。
▲２▼  携帯用カイロ内袋の内容物を入れた厚みを薄くしたい
厚さを２〜３ｍｍ程度することにより、外形１０ｍｍのチューブにむらなく均一に巻く事が出来る。
この事は、内容物の量を減らす事になるが、カイロの仕様を最高温度  ６３度、平均温度  ５３度、持続時間  １２時間（４０度以上を保持し、持続する時間）と２時間短縮する事で実現できないか？
▲３▼  貼る接着剤についての検討
既存の商品の接着剤は、動く人間の衣服に付着しているようデザインされ強力である。この為断熱カバー内側のウレタン表面が剥がれ易く、約１ｍ凍結防止カバーの内側に１０ｃｍ毎に１０枚貼り、はがすのも努力を要する。よって接着剤塗布部分を内袋前面ではなく、上下の端から各２ｃｍ、中央部２ｃｍの計６ｃｍの塗り面積としたら良いと思う。
２．外筒の断熱チューブに関しての検討
▲１▼  断熱チューブの材質の検討
試作時には、市販の水道管凍結防止用断熱チューブを使用したが、商品化を前提とした試作品には、ネオプレン、ウレタンを比較検討し材質を決定すべきであろう。その材質選定にあたり、検討すべき項目を下記に列挙する。
▲２▼  形状及び寸法
内径１０ｍｍ、外形１６ｍｍ  厚さ３ｍｍ  全長１０７０ｍｍ
断熱層の厚みに関して、これは全長約１ｍ強の内部にドリンキングチューブを含んだ本凍結防止カバー全体の、柔軟性を維持する必要があるからである。
▲３▼  更にウレタン層表面が、酸化熱を利用した携帯用カイロの内袋接着剤をはがす時、容易にはがれるように内筒表面が滑らかであることが必要である。
▲４▼  外皮は、耐水性、耐磨耗性、柔軟性を有すると共に、商品としての見栄えを良くする大事な部分であるので、材質、色彩の選定に考慮すべきである。
▲５▼  外皮は、内筒の断熱チューブに接着剤により接着されており、ラジアル方向の端には、面ファスナーを取付け、テープを止めることにより全体が円周として開口部を閉じる事になる。
▲６▼面ファスナーは、外皮のアキシャル（軸）方向に対し、１５ｃｍ位の間隔を開け面ファスナー幅５ｃｍとし、チューブ全長に対し５ヶ所位止めるのが良いか、実験の上決定すべき事項となる。
【手続補正書】
【提出日】平成18年10月5日(2006.10.5)
【手続補正１】
【補正対象書類名】実用新案登録請求の範囲
【補正対象項目名】全文
【補正方法】変更
【補正の内容】
【実用新案登録請求の範囲】
【請求項１】
（イ）外皮は防水性と耐磨耗性を有し、厚みは０．５ｍｍ程度、外径２３ｍｍ程度、長さ約１，０００ｍｍで円周の一箇所が切り離されており、切断個所片方の表側に面ファスナーのメス側が付けられおり、切断個所他方は、円周方向に約１５ｍｍ程度伸ばされており、その内側に面ファスナーのオス側が取り付けられていて、メス、オスを重ね合わせることにより円筒を形作る。
（ロ）  断熱層：外皮の内側にネオプレン又はウレタン等で、厚みは３ｍｍ程度  内径１０ｍｍ、外形１６ｍｍ、長さ１０００ｍｍ程度で円周の一箇所が切り離されている。
（ハ）  加温層：鉄の酸化熱を利用した携帯用カイロで、縦、横１００＊１００ｍｍ  厚さ３ｍｍ程度で、片面には、接着剤が塗布されており、断熱層のゴムの内筒側に容易に貼り付けることが出来る。断熱層の内筒側に貼り付ける事で円筒の一部を構成する。
（ニ）  加温層の内側に、凍結から護るべき飲料の通過するドリンキングチューブ外形１０ｍｍが備えてある。
以上の構成からなるハイドレーションシステムにおけるドリンキングチューブの冬季凍結防止カバー。